(57)【要約】      （修正有）【課題】平台型イメージスキャナのスキャン手順中に変化する可撓フラットケーブル配置形態による摩擦を生じさせない画像処理装置の提供。【解決手段】ケーブル調整デバイス６は、可撓フラットケーブル４０の屈曲部分が中を通るリング部材６０、ローラー５２上に同軸にマウントされ、かつローラー５２と共に回転するリール６３、ケーシング３０の一端にマウントされる固定的滑車６２、並びに一端がリング部材６０に結合され、他端がリール６３で巻取られ、かつ固定的滑車６２上をスライドするロープ６１を含む。リング部材６０、固定的滑車６２及びリール６３の位置は直角三角形を形成し、直角三角形の直角が固定的滑車６２の位置で形成される。固定的滑車６２は、可撓フラットケーブル４０を伸ばす方向の変換に使用する。ケーブル調整デバイス６は、必要なら２以上の固定的滑車をも含む。固定的滑車６２の位置は、ケーブル調整デバイス６の配置と共に変更する。【選択図】  図４
2006054863.tif 000002
【特許請求の範囲】
【請求項１】
対象のデジタル画像データを得るための画像処理装置であって：
ケーシング；
該ケーシングに配置され、前記対象の画像を取得し前記デジタル画像データに変換するために前記対象に関し移動可能であるキャリッジモジュール；
第１端及び第２端を有する可撓フラットケーブルであり、前記第１端が前記ケーシングの一定の位置に取り付けられ、前記第２端が前記キャリッジモジュールから前記デジタル画像データを伝達すべく前記キャリッジモジュールに結合され、かつ該キャリッジモジュールと共に移動可能であるところの可撓フラットケーブル；及び、
該可撓フラットケーブルに結合され、前記可撓フラットケーブルの前記第２端が前記キャリッジモジュールと共に移動する際に前記可撓フラットケーブルと共に移動可能であり、かつ、前記可撓フラットケーブルを張り続けるよう可撓フラットケーブルの配置形態にあわせて変化する長さを有するケーブル調整デバイス；
を有することを特徴とする画像処理装置。
【請求項２】
移送機構であって：
モーター；
トラックであり、前記キャリッジモジュールの移動方向に沿って延び、前記キャリッジモジュールがトラックに沿ってスライドできるよう前記キャリッジモジュールを貫通するトラック；
前記キャリッジモジュールの移動経路の一端に配置されるローラー；及び、
コンベアベルトであり、前記キャリッジモジュールをそれに取り付け、かつ、前記トラックに沿って移動するよう前記キャリッジモジュールを運ぶべく前記モーターにより前記ローラーの周りを動くよう駆動されるコンベアベルト；
を有する移送機構、
をさらに有することを特徴とする請求項１に記載の画像処理装置。
【請求項３】
前記可撓フラットケーブルが前記キャリッジモジュールの移動に伴い異なる位置で曲がり、かつ、前記ケーブル調整デバイスが前記可撓フラットケーブルを前記曲がった位置で差動的に引っ張ることを特徴とする請求項１に記載の画像処理装置。
【請求項４】
前記ケーブル調整デバイスが、
リング部材であり、その中を前記可撓フラットケーブルが通り、かつ、前記可撓フラットケーブルがその中を動く際に、前記可撓フラットケーブルを前記曲がった位置で差動的に引っ張るリング部材、
を有することを特徴とする請求項３に記載の画像処理装置。
【請求項５】
前記ケーブル調整デバイスが、
一端が前記リング部材に取り付けられるロープ；及び、
リールであり、前記ローラー上に同軸にマウントされ、前記キャリッジモジュールが前記リール方向に移動する際に前記リング部材を引っ張るべく前記ロープを巻き取るため、かつ、前記キャリッジモジュールが前記リールから離れるよう移動する際に前記リング部材を放すべく前記ロープを出すため、前記ローラーと共に回転するリール；
をさらに有することを特徴とする請求項４に記載の画像処理装置。
【請求項６】
前記ケーブル調整デバイスが、
前記リング部材と、前記可撓フラットケーブルを一直線に維持しかつ前記ロープを張るための前記リールとで直角三角形を形成する固定的滑車、
をさらに有することを特徴とする請求項５に記載の画像処理装置。
【請求項７】
前記ケーブル調整デバイスが
スプリング部材であり、第１端が前記ケーシングに取り付けられ、第２端が前記リング部材を捕らえ、前記キャリッジモジュールが当該スプリング部材の前記第１端から離れるよう移動する際に当該スプリング部材が変形し、かつ、前記キャリッジモジュールが当該スプリング部材の前記第１端方法に移動する際に前記リング部材を引っ張るよう当該スプリング部材が回復するところのスプリング部材、
をさらに有することを特徴とする請求項４に記載の画像処理装置。
【請求項８】
前記ケーブル調整デバイスが前記スプリング部材を前記リング部材に接続するロープをさらに有することを特徴とする請求項７に記載の画像処理装置。
【請求項９】
前記ケーブル調整デバイスがさらに：
一端が前記リング部材に接続されるロープ；及び、
前記ケーシングに取り付けられ、かつ前記ロープに結合される自動リール；を有し、
該自動リールは、前記キャリッジモジュールがそれから離れる際に前記リング部材を移動させるよう前記ロープを出し、かつ、前記キャリッジモジュールが近づく際に前記リング部材を引っ張るよう前記ロープを自動的に巻き取る、
ことを特徴とする請求項４に記載の画像処理装置。
【請求項１０】
平台型イメージスキャナであって：
開口部を有するケーシング；
スキャニングプラットホームであり、スキャンすべき対象をその上に支持するために前記開口部に収められるスキャニングプラットホーム；
前記対象のデジタル画像データを得るべく前記対象をスキャンするために前記ケーシング内の前記スキャニングプラットホームの下で移動可能に配置されるキャリッジモジュール；
前記デジタル画像データを伝達する可撓フラットケーブルを介して前記キャリッジモジュールに電気的に接続される回路基板；及び、
前記ケーシングにマウントされ、前記可撓フラットケーブルの配置形態を調整するため前記可撓フラットケーブルを特定方向に伸ばすべく相対的に移動可能なように前記可撓フラットケーブルに結合され、その結果、前記可撓フラットケーブルと前記スキャニングプラットホームとが接触するのを回避させるケーブル調整デバイス；
を有することを特徴とする平台型イメージスキャナ。
【発明の詳細な説明】
【技術分野】
【０００１】
本発明は画像処理装置に関し、より厳密には調整された配置形態を持つ可撓フラットケーブルを有する平台型イメージスキャナに関する。
【背景技術】
【０００２】
今の時代、コンピュータ及びネットワークシステムがどこでも利用可能になっているのでデジタル情報伝達がますます多くの分野に適用されている。適用例の１つには、画像入／出力がある。イメージスキャナは、現在では家庭内或いはオフィスで広く使用されるためデジタル様式での画像処理でよく知られるようになっている。
【０００３】
従来の平台型イメージスキャナ１０を示す斜視図である図１を参照する。従来の平台型イメージスキャナ１０はキャリッジモジュール１１、滑車１３の周りを動きかつモーター１５で駆動されるコンベアベルト１２、キャリッジモジュール１１を貫通するトラック１４、透明ガラスで作られるスキャニングプラットホーム１６並びに一端がキャリッジモジュール１１に接続され、他端が回路基板１８に接続され、かつ、キャリッジモジュール１１の動きに伴って曲がり或いは伸びる可撓フラットケーブル（ＦＦＣ）１７を含む。スキャンする前に、文書又は写真などのスキャンすべき対象２１がスキャニングプラットホーム１６に置かれる。その後、モーター１５が始動し、スキャン手順を開始すべくコンベアベルト１２が滑車１３の周りで輪になるように駆動する。コンベアベルト１２の一部に取り付けられそれにより運搬されるキャリッジモジュール１１は、スキャニングプラットホーム１６上に置かれる対象２１を通過してスキャンすべくトラック１４に沿って移動するよう駆動され、対象２１の画像データを取得する。その後、キャリッジモジュール１１は画像データをデジタル画像データに変換し、可撓フラットケーブル１７を介してそれらを回路基板１８に伝達する。最後に、デジタル画像データは、例えばユニバーサルシリアルバス（ＵＳＢ）ケーブル又はＩＥＥＥ１３９４バスケーブルなど、コンピュータ１９と回路基板１８とを接続する信号ケーブル２０を介し、さらなる処理のため画像ファイルを生成すべくコンピュータ１９に出力される。
【発明の開示】
【発明が解決しようとする課題】
【０００４】
しかし、従来のイメージスキャナ１０のスキャン手順が進行する間に問題が生じる。従来の平台型イメージスキャナ１０の横断面図を示す図２を参照する。ポイントＡから移動するキャリッジモジュール１１が、大きなサイズの対象２１をスキャンするためスキャニングプラットホーム１６全体を横切ってポイントＢに到達できることが基本である。従って、キャリッジモジュール１１と平台型イメージスキャナ１０の底部にある１つの側に取り付けられる回路基板１８とを接続する可撓フラットケーブル１７の長さは、キャリッジモジュール１１の移動に対応するのに十分長いものであるべきで、例えばポイントＡとポイントＢとの距離を越えるものであるべきである。キャリッジモジュール１１の移動の間、可撓フラットケーブル１７は、その配置形態をその間ずっと変えられるように曲がりかつ伸びる。キャリッジモジュール１１が回路基板１８のすぐ近くの位置に移動すると、長い可撓フラットケーブル１７の屈曲部分が持ち上がり、図３に示すようにポイントＣでスキャニングプラットホーム１６に触れてしまう。接触ポイントＣは、キャリッジモジュール１１の移動に伴い変化し、スキャニングプラットホーム１６の特定領域が頻繁にこすられて磨耗することとなる。当該磨耗により生じる、或いは可撓フラットケーブルから落ちるプラスチックの小片がスキャニングプラットホーム１６に付着して汚染する。或いは、スキャニングプラットホーム１６は、その上にこすった跡が残る場合がある。双方の状況とも、イメージスキャナ１０のスキャン品質に悪影響を及ぼす。
【課題を解決するための手段】
【０００５】
本発明は、調整された配置形態を持つ可撓フラットケーブルを有する画像処理装置を提供する。
【０００６】
本発明はまた、調整された配置形態を持つ可撓フラットケーブルを有する平台型イメージスキャナを提供し、スキャン手順中に変化する可撓フラットケーブルの配置形態による如何なる磨耗をも生じさせないようにする。
【０００７】
対象のデジタル画像データを得るための画像処理装置は、ケーシング、該ケーシングに配置され対象の画像を取得しデジタル画像データに変換するために対象に関し移動可能であるキャリッジモジュール、第１端及び第２端を有する可撓フラットケーブルであって第１端がケーシングの一定の位置に取り付けられ、第２端がキャリッジモジュールからデジタル画像データを伝達すべくキャリッジモジュールに結合され、かつ該キャリッジモジュールと共に移動可能であるところの可撓フラットケーブル、及び、該可撓フラットケーブルに結合され、可撓フラットケーブルの第２端がキャリッジモジュールと共に移動する際に可撓フラットケーブルと共に移動可能であり、かつ、可撓フラットケーブルを張り続けるよう可撓フラットケーブルの配置形態にあわせて変化する長さを有するケーブル調整デバイスを有する。
【０００８】
本発明の実施例に従って、画像処理装置はさらに移送機構を有し、該移送機構は、モーター、トラックであってキャリッジモジュールの移動方向に沿って延びキャリッジモジュールがトラックに沿ってスライドできるようキャリッジモジュールを貫通するトラック、キャリッジモジュールの移動経路の一端に配置されるローラー、及び、コンベアベルトであってキャリッジモジュールをそれに取り付けかつトラックに沿って移動するようキャリッジモジュールを運ぶべくモーターによりローラーの周りを動くよう駆動されるコンベアベルトを有する。
【０００９】
本発明の実施例に従って、可撓フラットケーブルは、キャリッジモジュールの移動に伴い異なる位置で曲がり、かつ、ケーブル調整デバイスは、曲がった位置で可撓フラットケーブルを差動的に引っ張る。
【００１０】
例えば、ケーブル調整デバイスはリング部材であってその中を可撓フラットケーブルが通り、かつ、可撓フラットケーブルがその中を動く際に曲がった位置で可撓フラットケーブルを差動的に引っ張るリング部材を有する。
【００１１】
実施例において、ケーブル調整デバイスはさらに一端がリング部材に取り付けられるロープ、リールであってローラー上に同軸にマウントされ、キャリッジモジュールがリール方向に移動する際にリング部材を引っ張るべくロープを巻き取るため、かつ、キャリッジモジュールがリールから離れるよう移動する際にリング部材を放すべくロープを出すため、ローラーと共に回転するリール、及び、リング部材と可撓フラットケーブルを一直線に維持しかつロープを張るためのリールとで直角三角形を形成する固定的滑車を有する。好適には、リールの半径は、ローラーの半径の半分である。
【００１２】
別の実施例において、ケーブル調整デバイスはさらに、第１端がケーシングに取り付けられ第２端がリング部材を捕らえるスプリング部材、及び、該スプリング部材をリング部材に接続するロープを有する。実際には、キャリッジモジュールがスプリング部材の第１端から離れるよう移動する際にスプリング部材が変形し、かつ、キャリッジモジュールがスプリング部材の第１端方法に移動する際にリング部材を引っ張るようスプリング部材が回復する。
【００１３】
別の実施例において、ケーブル調整デバイスはさらに、一端がリング部材に接続されるロープ、及び、ケーシングに取り付けられ、かつロープに結合される自動リールを有する。該自動リールは、キャリッジモジュールがそれから離れる際にリング部材を移動させるようロープを出し、かつ、キャリッジモジュールが近づく際にリング部材を引っ張るようロープを自動的に巻き取る。
【００１４】
本発明に従って、平台型イメージスキャナは、開口部を有するケーシング、スキャニングプラットホームであってスキャンすべき対象をその上に支持するために開口部に収められるスキャニングプラットホーム、対象のデジタル画像データを得るべく対象をスキャンするためにケーシング内のスキャニングプラットホームの下で移動可能に配置されるキャリッジモジュール、デジタル画像データを伝達する可撓フラットケーブルを介してキャリッジモジュールに電気的に接続される回路基板、及び、ケーシングにマウントされ可撓フラットケーブルの配置形態を調整するために可撓フラットケーブルを特定方向に伸ばすべく相対的に移動可能なように可撓フラットケーブルに結合され、その結果可撓フラットケーブルとスキャニングプラットホームとが接触するのを回避させるケーブル調整デバイスを有する。
【００１５】
本発明は、添付図面を参照した後述の説明を介して最も良く理解することができる。
【発明を実施するための最良の形態】
【００１６】
本発明はこれより、後述の実施例を参照してより厳密に説明される。本発明の好適な実施例の後述の説明は、図解及び説明のみを目的として本願に提示されるものである点に留意すべきである。開示された厳密な形が網羅的に、或いは、限定的になることを目的としない。
【００１７】
本発明に従った平台型のイメージスキャナの好適な実施例を示す斜視図である図４を参照する。平台型イメージスキャナ１００は、スキャニングプラットホーム３１が収まるよう上面に開口部を有するケーシング３０を含む。スキャニングプラットホーム３１は通常、スキャンすべき対象（図示せず。）をその上に支持するよう透明ガラスでできている。ケーシング３０には、キャリッジモジュール４１、回路基板４２並びに両端がそれぞれキャリッジモジュール４１及び回路基板４２に接続される可撓フラットケーブル４０が配置される。キャリッジモジュール４１は、スキャニングプラットホーム３１に置かれる対象の画像データを取得し、その後当該画像データをデジタル画像データに変換するようスキャニングプラットホーム３１の下で移動可能である。可撓フラットケーブル４０は、キャリッジモジュール４１の移動に合わせて異なる位置で曲がり、スキャニング中に変化したキャリッジモジュール４１の位置に合わせるようにする。可撓フラットケーブル４０の働きは、キャリッジモジュール４１から回路基板４２にデジタル画像データを伝達することである。その後デジタル画像データは、ケーシング３０に備えられるポート７０とデジタル処理システム７１に一端が接続される信号ケーブル７２とを介してさらなる処理のために例えばコンピュータなどのデジタル処理システム７１に伝達される。実際には、双方向通信を実現すべく、可撓フラットケーブル４０を介して回路基板４２からキャリッジモジュール４１に制御信号が送信され得る。
【００１８】
モーター５０、トラック５１、ローラー５２及びコンベアベルト５３を含む移送機構５もまたケーシング３０内に備えられ、キャリッジモジュール４１がＤ方向と同一方向及び反対方向に移動できるようにする。モーター５０は、コンベアベルト５３を駆動する。キャリッジモジュール４１の動作経路の一端に配置され、かつコンベアベルト５３の牽引により回転するローラー５２の周りを、コンベアベルト５３が動けるようにするためである。それ故に、コンベアベルト５３に取り付けられるキャリッジモジュール４１が駆動される。キャリッジモジュール４１の動作方向に沿って延び、かつキャリッジモジュール４１を貫通するトラック５１に沿ってスライドできるようにするためである。
【００１９】
本発明は、ケーシング３０内に配置され、かつ可撓フラットケーブル４０に、図の矢印により示されるＤ方向に可撓フラットケーブル４０を伸ばすよう相対的に移動可能な方法で結合される特徴のあるケーブル調整デバイス６を提供し、可撓フラットケーブル４０の配置形態を調整できるようにする。この実施例では、ケーブル調整デバイス６は、可撓フラットケーブル４０の屈曲部分が中を通るリング部材６０、ローラー５２上に同軸にマウントされ、かつローラー５２と共に回転するリール６３、ケーシング３０の一端にマウントされる固定的滑車６２、並びに、一端がリング部材６０に結合され、他端がリール６３で巻き取られ、かつ固定的滑車６２上をスライドするロープ６１を含む。リング部材６０、固定的滑車６２及びリール６３の位置は直角三角形を形成し、直角三角形の直角が固定的滑車６２の位置で形成される。固定的滑車６２は、可撓フラットケーブル４０を伸ばす方向を変換するのに使用される。従って、ケーブル調整デバイス６は、必要ならば２以上の固定的滑車を含み得る。固定的滑車６２の位置は、ケーブル調整デバイス６の配置と共に変更され得る。好適な実施例では、リール６３の半径がローラー５２の半径の約半分である。
【００２０】
キャリッジモジュール４１が回路基板４２の方向（Ｄ方向の反対方向である。）に移動する際に、可撓フラットケーブル４０の屈曲部分も回路基板４２の方向に移動する。ローラー５２上に同軸にマウントされるローラー５２及びリール６３は、反時計回りに回転し、リール６３からロープ６１を引き出すようにする。時計回り或いは反時計回りのように明細書中で説明される特定の方向は、イメージスキャナ１００の構成要素及び構成材の配置に応じて変更される場合があることとなっている。リール６３の半径がローラー５２の半径の約半分であるため、可撓フラットケーブル４０の屈曲部分を囲むリング部材６０の移動距離は、キャリッジモジュール４１の移動距離よりも短いものとなる。従って、ロープ６１及びリング部材６０は、可撓フラットケーブル４０の屈曲部分が固定的滑車６２の方向に一直線となる状態を保つよう可撓フラットケーブル４０を引っ張ることができる。このように、可撓フラットケーブル４０の屈曲部分がスキャニングウィンドウ３１に触れるまで上がることはない。その結果、可撓フラットケーブル４０とスキャニングウィンドウ３１との接触による磨耗の問題が効果的に克服される。
【００２１】
キャリッジモジュール４１がＤ方向に移動すると、ローラー５２及びリール６３が時計回りに回転するよう駆動され、リール６３がロープ６１を巻き取るようにする。ロープ６２の巻き取られていない部分は短縮され、リング部材６０をＤ方向に引っ張り、その結果可撓フラットケーブル４０を屈曲部分で引っ張るようにする。従って、磨耗問題を克服すべく可撓フラットケーブル４０の配置形態が一直線になるように有利に調整される。
【実施例】
【００２２】
ケーブル調整デバイス６の別の実施例が本発明に従った平台型イメージスキャナの好適な実施例を示す斜視図である図５に示される。当該ケーブル調整デバイス６は、可撓フラットケーブル４０の屈曲部分が中を通るリング部材６０、回路基板４２の反対側でケーシング３０に一端が取り付けられるスプリング部材６４、及び、スプリング部材６４をリング部材６０に接続するロープ６１を含む。キャリッジモジュール４１が回路基板４２から最も遠い位置に移動する際に、スプリング部材６４は平衡状態となる。キャリッジモジュール４１が“平衡状態”から離れ回路基板４２の方に移動すると、スプリング部材６４の終端Ｅがリング部材６０に結合されるロープ６１に引っ張られ、スプリング部材に変形を生じさせる。変形の生じたスプリング部材６４は、スプリング部材６４がその平衡状態に戻るよう変形に比例する回復力を生じさせる。従って、可撓フラットケーブル４０の屈曲部分がスプリング部材６４の方に引っ張られ、可撓フラットケーブル４０の配置形態を一直線の状態に維持するようにする。スプリング部材６４がロープ６１の引きに耐えるほど十分に強く、かつ、スプリング部材６４の最大ひずみが、スプリング疲労を回避すべく一定範囲内で制御されることが重要である。
【００２３】
ケーブル調整デバイス６の別の実施例が本発明に従った平台型イメージスキャナの好適な実施例を示す斜視図である図６に示される。当該ケーブル調整デバイス６は、可撓フラットケーブル４０の屈曲部分が中を通るリング部材６０、リング部材６０に一端が接続されるロープ６１、回路基板４２の反対側でケーシング３０に取り付けられ、かつロープ６１を巻き取る自動リール６５を含む。自動リール６５の構造は、自動収縮機能を持つ巻尺に類似する。言い換えると、自動リール６５は時計回りに回転する性向を有する。キャリッジモジュール４１がＤ方向の反対方向に移動する際、リング部材６０による牽引のため自動リール６５からロープ６１が引き出される。しかし、自動リール６５は、可撓フラットケーブル４０の屈曲部分に結合されるリング部材６０による牽引力と自動リール６５により生じる回転回復力とがバランスを取るまでロープ６１を巻き取ろうとする。従って、力が常に自動リール６５により自動的に提供され、可撓フラットケーブル４０の配置形態を一直線の状態に維持すべく可撓フラットケーブル４０の屈曲部分を自動リール６５の方に引っ張るようにする。このように、キャリッジモジュール４１が回路基板４２に近づく際に、可撓フラットケーブル４０の屈曲部分が高くなりスキャニングウィンドウ３１に触れないようにする。
【００２４】
本発明は、イメージスキャナばかりでなく、例えばコピー機、多機能一体型機又はデジタル送信機などその可撓フラットケーブル４０が画像処理手順の中で様々な配置形態を有するところの如何なる他の画像処理装置にも適用され得る。上述のように、ケーブル調整デバイスは、可撓フラットケーブルを適切なスペース内に制限するのに役立ち、その変形された配置形態による問題を克服するようにする。
【００２５】
本発明は、現在最も実用的かつ好適な実施例に関して説明されたが、当然のことながら、本発明が当該開示された実施例に限定される必要はない。反対にそれは、最も広い解釈に従って添付の請求項の範囲及び精神に含まれる種々の改良及び類似装置をカバーし、係る改良及び類似装置のすべてを包含することを意図する。
【図面の簡単な説明】
【００２６】
【図１】従来の平台型イメージスキャナを示す斜視図である。
【図２】図１の従来の平台型イメージスキャナの横断面図である。
【図３】可撓フラットケーブル１７とスキャニングプラットホーム１６との間で発生する接触を概略的に示す従来の平台型イメージスキャナの部分横断面図である。
【図４】本発明に従った平台型イメージスキャナの好適な実施例を示す斜視図である。
【図５】本発明に従った平台型イメージスキャナの別の好適な実施例を示す斜視図である。
【図６】本発明に従った平台型イメージスキャナのさらに別の好適な実施例を示す斜視図である。
【符号の説明】
【００２７】
１０      イメージスキャナ
１１      キャリッジモジュール
１２      コンベアベルト
１３      滑車
１４      トラック
１５      モーター
１６      スキャニングプラットホーム
１７      可撓フラットケーブル
１８      回路基板
１９      コンピュータ
２０      信号ケーブル
２１      対象
３０      ケーシング
３１      スキャニングプラットホーム
４１      キャリッジモジュール
４２      回路基板
５０      モーター
５１      トラック
５２      ローラー
５３      コンベアベルト
６０      リング部材
６１      ロープ
６２      滑車
６３      リール
６４      スプリング部材
６５      自動リール
７０      ポート
７１      デジタル処理システム
７２      信号ケーブル
１００    イメージスキャナ
Ａ        ポイント
Ｂ        ポイント
Ｃ        ポイント
Ｄ        方向
Ｅ        終端
【図１】
2006054863.tif 000003
【図２】
2006054863.tif 000004
【図３】
2006054863.tif 000005
【図４】
2006054863.tif 000006
【図５】
2006054863.tif 000007
【図６】
2006054863.tif 000008